(57)【要約】  本発明は一般に、顕微鏡、望遠鏡又は双眼鏡等の光学観察機器に画像取込デバイスを取り付ける方法及びデバイスに関する。より詳細には、本発明のいくつかの実施形態は、顕微鏡の鏡筒にスマートフォンを取り付ける装置に関する。上記光学観察機器は、鏡筒及び鏡筒に取り付けられた接眼レンズを有してよい。アダプタは、鏡筒に装着されるよう構成された鏡筒リングマウントを含んでよい。鏡筒マウントは、装着されたリングマウントと係合するよう構成してよい。画像取込デバイスホルダは、鏡筒マウントと連結して画像取込デバイスを受承するよう構成してよい。画像取込デバイスは、スマートフォン等の一般的なデバイスであってよい。任意で、鏡筒マウントに、接眼レンズの表示を見やすくする覗き窓が含まれていてよい。【選択図】図１Ａ
2016521869.tif 000002
【特許請求の範囲】
【請求項１】
画像取込デバイスを光学観察機器に取り付けるためのアダプタシステムであって、
前記光学観察機器は、鏡筒及び前記鏡筒に取り付けられた接眼レンズを有し、
前記アダプタは：
前記鏡筒に装着されるよう構成された鏡筒リングマウント；
前記リングマウントと係合するよう構成された鏡筒マウント；及び
前記鏡筒マウントと連結して前記画像取込デバイスを受承するよう構成された画像取込デバイスホルダ
を備える、システム。
【請求項２】
前記鏡筒リングマウントは、前記鏡筒に、前記接眼レンズから遠位において装着されるよう構成される、請求項１に記載のシステム。
【請求項３】
前記鏡筒リングマウントは、装着前に前記光学観察機器の前記接眼レンズを取り外し、装着後に前記光学観察機器の前記接眼レンズを再装着することによって装着されるよう構成される、請求項２に記載のシステム。
【請求項４】
前記鏡筒マウントは、前記接眼レンズ上を摺動することによって前記リングマウントと連結するよう構成される、請求項１に記載のシステム。
【請求項５】
前記鏡筒マウントは、前記接眼レンズの表示を見やすくする覗き窓を含む、請求項４に記載のシステム。
【請求項６】
前記鏡筒マウントは、前記光学観察機器に装着した場合に、前記接眼レンズの倍率の調整を可能とする、請求項４に記載のシステム。
【請求項７】
前記鏡筒マウントは、円周クランプ機構を使用して前記リングマウントと連結する、請求項１に記載のシステム。
【請求項８】
前記アダプタはレンズを含まない、請求項１に記載のシステム。
【請求項９】
画像取込デバイスを光学観察機器に取り付けることができるように、前記光学観察機器を改造する方法であって、
前記光学観察機器は、鏡筒及び前記鏡筒に取り付けられた接眼レンズを有する、方法において、
上記方法は：
鏡筒リングマウントを前記鏡筒に装着するステップ；
鏡筒マウントを前記リングマウント上で固定するステップ；及び
画像取込デバイスホルダを前記鏡筒マウントと連結するステップ
を含む、方法。
【請求項１０】
前記鏡筒リングマウントは、前記鏡筒に、前記接眼レンズから遠位において装着される、請求項９に記載の方法。
【請求項１１】
前記鏡筒リングマウントを前記鏡筒に装着する前に、前記光学観察機器の前記接眼レンズを取り外すステップ；及び
前記鏡筒リングマウントを前記鏡筒に装着した後に、前記光学観察機器の前記接眼レンズを再装着するステップ
を更に含む、請求項１０に記載の方法。
【請求項１２】
前記鏡筒マウントを前記リングマウントに固定する前に、前記鏡筒マウントを接眼レンズ上で摺動させるステップを更に含む、請求項９に記載の方法。
【請求項１３】
前記鏡筒マウントは、前記接眼レンズ上の表示を見やすくする覗き窓を含む、請求項１２に記載の方法。
【請求項１４】
固定された前記鏡筒マウントは、前記光学観察機器に装着した場合に、前記接眼レンズの倍率の調整を可能とする、請求項１２に記載の方法。
【請求項１５】
前記鏡筒マウントは、円周クランプ機構を使用して前記リングマウントに固定される、請求項９に記載の方法。
【請求項１６】
前記光学観察機器の改造は、前記光学観察システムにレンズを追加しない、請求項９に記載の方法。
【請求項１７】
スマートフォンを顕微鏡に取り付けるためのアダプタシステムであって、
前記顕微鏡は、鏡筒及び前記鏡筒に取り付けられた接眼レンズを有する、アダプタシステムにおいて、
前記アダプタは：
前記鏡筒に装着されるよう構成された鏡筒リングマウント；
円周クランプ及び覗き窓を有する鏡筒マウント；及び
前記鏡筒マウントと連結してスマートフォンを受承するよう構成された、スマートフォンホルダ
を備え、
前記鏡筒マウントは、前記接眼レンズ上を摺動して前記リングマウントと係合するよう構成され、前記覗き窓は、前記接眼レンズの表示を見やすくするよう構成され、
前記スマートフォンホルダは更に、受承されている前記スマートフォンのカメラを前記顕微鏡の光軸と位置合わせするよう構成される、アダプタシステム。
【請求項１８】
前記アダプタシステムはレンズを含まない、請求項１７に記載のアダプタシステム。
【請求項１９】
前記アダプタシステムは、前記アダプタシステムを前記顕微鏡に接続した場合に、前記顕微鏡の前記接眼レンズの倍率の調整を可能とする、請求項１７に記載のアダプタシステム。
【請求項２０】
スマートフォンを顕微鏡に取り付けることができるように、前記顕微鏡を改造する方法であって、
前記顕微鏡は、鏡筒及び前記鏡筒に取り付けられた接眼レンズを有する、方法において、
前記方法は：
前記顕微鏡の前記接眼レンズを前記鏡筒から取り外すステップ；
前記鏡筒に前記鏡筒リングマウントを装着するステップ；
前記接眼レンズを前記鏡筒に再装着するステップ；
前記鏡筒マウントを、再装着された前記接眼レンズ上で摺動させるステップ；
円周クランプを使用して、前記鏡筒マウントを前記リングマウント上で固定するステップ；及び
スマートフォンホルダを、固定された前記鏡筒マウントと連結するステップ
を含み、
前記鏡筒マウントは、前記接眼レンズの表示を見やすくする覗き窓を有する、方法。
【発明の詳細な説明】
【関連出願の相互参照】
【０００１】
本出願は、２０１３年６月５日に出願された米国仮特許出願第６１／８３１４３３号及び２０１３年９月６日に出願された米国特許出願第１４／０１９８５８号の利益を主張するものである。これらの開示は、必要によってその全体が本出願に援用される。
【技術分野】
【０００２】
本発明は一般に、顕微鏡、望遠鏡又は双眼鏡等の光学観察機器に画像取込デバイスを取り付ける方法及びデバイスに関する。より詳細には、本発明のいくつかの実施形態は、光学観察機器の鏡筒にスマートフォンを取り付ける装置に関する。
【背景技術】
【０００３】
光学機器を使用して、使用者による観察のために画像の画質を向上させることができる。例えば望遠鏡は遠くの物体の観察を助け、顕微鏡は裸眼で観察するには小さすぎる物体の観察を助けることができる。光学機器に画像取込デバイスを取り付けることによって、画像取込デバイスによって画質の高い画像を取り込み、記録又は送信できるようにすることが望ましい場合がある。いくつかのアダプタが開発されているが、当技術分野では、より堅牢なアダプタ及び安価な部品で構成されたアダプタに対する需要がある。
【発明の概要】
【発明が解決しようとする課題】
【０００４】
医療分野では、作業領域を観察するために顕微鏡を使用するのが一般的である。特に、主な観察領域を示して記録するために、鏡筒又は補助鏡筒を使用するのが一般的である。本出願で説明するアダプタデバイスは、画像及び映像の取り込み及び送信のために、スマートフォン（ｉＰｈｏｎｅ（商標）、Ｓａｍｓｕｎｇ  Ｇａｌａｘｙ（商標）フォン、Ｂｌａｃｋｂｅｒｒｙ（商標）デバイス、又は画像取込デバイスを有する他のモバイルプロセッサを含む）等の一般的なデバイスを光学観察機器の鏡筒／補助鏡筒に適合させる能力を提供できる。
【課題を解決するための手段】
【０００５】
いくつかの実施形態では、画像取込デバイスを光学観察機器に取り付けるためのアダプタシステムを提供する。光学観察機器は、鏡筒及び鏡筒に取り付けられた接眼レンズを有してよい。アダプタは、鏡筒に強固に装着されるよう構成された鏡筒リングマウントを含んでよい。鏡筒マウントは、装着されたリングマウントと係合するよう構成してよい。画像取込デバイスホルダは、鏡筒マウントと連結して画像取込デバイスを受承するよう構成してよい。画像取込デバイスは、スマートフォン等の一般的なデバイスであってよい。
【０００６】
いくつかの実施形態では、鏡筒リングマウントは、鏡筒に、接眼レンズから遠位において装着されるよう構成される。任意で、鏡筒リングマウントは、光学観察機器の接眼レンズを取り外し、鏡筒にリングマウントを装着し、リングマウント装着後に光学観察機器の接眼レンズを再装着することによって装着されるよう構成される。いくつかの実施形態では、鏡筒マウントは、光学観察機器の接眼レンズ上を摺動してリングマウントと連結するよう構成される。任意で、鏡筒マウントは、接眼レンズの表示を見やすくする覗き窓を含む。表示は、接眼レンズの倍率の値及び／又は他の接眼レンズ情報を含んでよい。更に、いくつかの実施形態では、装着された鏡筒マウントにより、接眼レンズの倍率の調整を行うことができる。鏡筒マウントは、円周クランプ機構を使用してリングマウントと連結してよい。このことにより、リングマウントに対するシステムの接続及び取り外しを迅速かつ容易に行うことができる。任意で、アダプタは、製造コストを低減するためにレンズを含まない。
【０００７】
いくつかの実施形態では、画像取込デバイスを光学観察機器に取り付けることができるように光学観察機器を改造する方法を提供する。光学観察機器は、鏡筒及び鏡筒に取り付けられた接眼レンズを有してよい。上記方法は、鏡筒リングマウントを鏡筒に装着するステップ、鏡筒マウントをリングマウント上で固定するステップ、画像取込デバイスホルダを鏡筒マウントと連結するステップを含んでよい。任意で、鏡筒リングマウントは、鏡筒に、接眼レンズから遠位において装着してよい。いくつかの実施形態では、上記方法は更に、鏡筒リングマウントを鏡筒に装着する前に、光学観察機器の接眼レンズを取り外すステップ、鏡筒リングマウントを鏡筒に装着した後に、光学観察機器の接眼レンズを再装着するステップを含む。
【０００８】
いくつかの実施形態では、鏡筒マウントは、リングマウントに固定する前に接眼レンズ上を摺動してよい。任意で、鏡筒マウントは、接眼レンズの表示を見やすくする覗き窓を含む。特定の実施形態では、固定された鏡筒マウントは、鏡筒マウントを光学観察機器に装着した場合に、接眼レンズの倍率の調整を可能とする。いくつかの実施形態では、鏡筒マウントは、円周クランプ機構を使用してリングマウントに固定される。任意で、光学観察機器の改造は、レンズを追加しない、レンズを取り外さない、又はレンズを交換しない。
【０００９】
特定の実施形態では、スマートフォンを顕微鏡に取り付けるためのアダプタシステムを提供する。このシステムは、鏡筒に装着されるよう構成された鏡筒リングマウントを含んでよい。アダプタシステムは更に、円周クランプ及び覗き窓を有する鏡筒マウントを含んでよい。鏡筒マウントは、接眼レンズ上を摺動してリングマウントと係合するよう構成してよい。覗き窓は、接眼レンズの表示を見やすくするよう構成してよい。スマートフォンホルダは、鏡筒マウントと連結して、スマートフォンを受承するよう構成してよい。スマートフォンホルダは更に、受承されているスマートフォンのカメラを顕微鏡の光軸と位置合わせするよう構成してよい。アダプタシステムの特定の実施形態は、製造コストを低減するためにレンズを含まない。いくつかの実施形態では、アダプタシステムは、顕微鏡に接続した場合に、顕微鏡の接眼レンズの倍率の調整を可能とする。
【００１０】
本発明の更に別の実施形態では、スマートフォンを顕微鏡に取り付けることができるように顕微鏡を改造する方法を提供する。上記方法は、顕微鏡の接眼レンズを鏡筒から取り外すステップ、及び鏡筒に鏡筒リングマウントを装着するステップを含んでよい。その後、接眼レンズを鏡筒に再装着してよい。鏡筒マウントは、再装着された接眼レンズ上を摺動して、円周クランプを使用してリングマウント上で固定してよい。その後、スマートフォンホルダを、固定された鏡筒マウントと連結してよい。任意で、鏡筒マウントは、接眼レンズの表示を見やすくする覗き窓を有してよい。
【００１１】
例示的実施形態について上で詳述したが、多くの変形形態が可能である。本発明の更なる別の特徴、性質、様々な利点は、添付図面及び以下の詳細な説明から明らかになるであろう。
【図面の簡単な説明】
【００１２】
【図１Ａ】図１Ａは、例示的なスマートフォン・顕微鏡鏡筒用アダプタの図である。
【図１Ｂ】図１Ｂは、例示的なスマートフォン・顕微鏡鏡筒用アダプタの図である。
【図１Ｃ】図１Ｃは、例示的なスマートフォン・顕微鏡鏡筒用アダプタの図である。
【図２】図２は、本発明のいくつかの態様の光学観察機器を改造する例示的な方法を示した図である。
【発明を実施するための形態】
【００１３】
図１Ａ〜図１Ｃは、例示的な鏡筒アダプタ１０の複数の図である。図１Ａ〜図１Ｃに示すように、例示的なアダプタは、鏡筒リングマウント１２、鏡筒マウント１４、画像取込デバイスホルダ１６を含む。鏡筒１８及び接眼レンズ２０は、顕微鏡の部品であってよい。例示的なアダプタ１０を顕微鏡に装着すると、画像取込デバイスホルダ１６は画像取込デバイス２２を受承して、画像取込デバイス２２のカメラを顕微鏡の光軸と位置合わせしてよい。その後、画像取込デバイス２２を使用して、顕微鏡の観察領域の画像を取り込み、記録又は送信してよい。
【００１４】
鏡筒リングマウント１２は、鏡筒ハウジング１８に嵌合するよう構成されたリングとして定義してよい。好ましくは、リングマウント１２は、鏡筒１８と強固に連結することにより、装着されたリングマウント１２の軸方向回転を最小限に抑えるよう構成される。いくつかの実施形態では、リングマウント１２は、特定の製造業者の鏡ハウジング１８とぴったり噛合する寸法である。例えば、第１のリングマウントをＣａｒｌ  Ｚｅｉｓｓ社製鏡筒と摩擦嵌合するよう構成し、第２のリングマウントをＨａａｇ  Ｓｔｒｅｉｔ社製鏡筒と摩擦嵌合するよう構成してよい。任意で、リングマウント１２は、リングマウント１２を鏡筒１８に固定するための係合機構を含んでよい。例えば円周クランプを使用して、リングマウント１２を鏡筒１８に固定してよい。従ってリングマウント１２は、様々な鏡筒サイズに適合するよう構成できる。リングマウント１２は、様々な鏡筒径に適応するようにＣ字形を形成するスリットを含んでよい。この特徴により、アダプタ１０を様々な鏡筒１８に適合させることができる。鏡筒リング１２は円筒状外面と共に図示されているが、他の外面形状も可能である。いくつかの実施形態では、鏡筒リング１２の外面は、鏡筒マウント１４と連結するための係合機構を含んでよい。いくつかの実施形態は、リングマウント１２に対する鏡筒１４の半径方向割り出しを行うために、スプライン付き、溝付き又は他の突起付きの接合面としてよい。
【００１５】
鏡筒マウント１４は、遠位部２４及び近位部２６を含んでよい。遠位部２４は、鏡筒リングマウント１２とぴったり噛合するよう構成された部分で形成してよい。図１Ａ〜図１Ｃに示すように、例示的な鏡筒マウント１４は、リングマウント１２上に嵌合する寸法の略円筒状遠位部２４を含む。好ましくは、鏡筒マウント１４は、リングマウント１２と強固に連結するよう構成される。いくつかの実施形態では、鏡筒マウント１４は、鏡筒マウント１４をリングマウント１２に連結するための１つ又は複数の係合機構を含む。例えば円周クランプ２８を使用して、リングマウント１２を鏡筒１８に固定してよい。ねじ式係合特徴部分、蟻溝式係合特徴部分、カムクランプ機構、スプライン特徴部分等といった他の係合特徴部分も可能である。好ましくは係合特徴部分は、アダプタ１０の迅速かつ容易な接続及び取り外しを提供するため、使用者は各構成を容易に切り替えることができる。
【００１６】
近位部２６は、画像取込デバイスホルダ１６を固定するよう構成してよい。近位部２６は前面を含んでよく、この前面は画像取込デバイスホルダ１６に対応し、また１つ又は複数の係合機構によって画像取込デバイスホルダ１６に固定できる。画像取込デバイスホルダ１６は、各係合機構の位置合わせに応じて様々な向きで鏡筒マウント１４に固定してよい。このことにより、使用者はポートレート又はランドスケープの画像／映像の取り込み形態を選択できる。好ましくは、近位部２６の背面は、環境光の漏れを抑えるために接眼レンズ２０を受承して接眼レンズ２０に重なる円筒状部分を含む。
【００１７】
いくつかの実施形態では、鏡筒マウント１４は覗き窓３０を含んでよい。覗き窓３０は、接眼レンズの表示を見やすくすることができる。上記表示は、接眼レンズの倍率の値及び／又は他の接眼レンズの情報を含んでよい。好ましくは、接眼レンズの倍率は、鏡筒１４がリングマウント１２に固定された状態であっても調整可能である。この特徴により、使用者は、画像取込デバイス２２のオートフォーカス機能の範囲を超えて光学観察機器の倍率増大及び焦点合わせを行うことができる。
【００１８】
図１Ａ〜図１Ｃに示すように、画像取込デバイスホルダ１６はスマートフォンケースを備え、画像取込デバイス２２はスマートフォンである。いくつかの実施形態では、画像取込デバイスホルダ１６は、画像取込デバイス２２を画像取込デバイスホルダ１６内に滑り込ませる又は嵌め込むことができるよう構成される。画像取込デバイスホルダ１６は、特定のスマートフォン２２用に構成されたものであるが、他のタイプのスマートフォン（例えばＢｌａｃｋｂｅｒｒｙ（商標）フォン、Ｓａｍｓｕｎｇ（商標）フォン、Ａｐｐｌｅ（商標）フォン等）又はデバイス（例えば画像取込デバイスを含むミュージックプレイヤ、ビデオプレイヤ、ＰＤＡデバイス等）に対応した他の形態構成も可能である。
【００１９】
いくつかの実施形態では、画像取込デバイス１６は、他のタイプの画像取込デバイス２２を受承するために、代替的構成を有する他の画像取込デバイスホルダ１６と相互交換できる。従って鏡筒マウント１４は、様々な画像取込デバイスホルダ１６を受承するための汎用近位部２６を有することができる。この特徴は、様々な画像取込デバイス２２を受承して、アダプタ１０に対して中央に位置決めする能力をアダプタ１０に提供する。いくつかの実施形態では、アダプタ１０は、鏡筒接眼レンズの倍率とは独立していてよい。好ましくはアダプタは、照明を最適にする能力を妨げるものではない。
【００２０】
図２は、本発明のいくつかの態様による、光学観察機器を改造する例示的な方法３２である。ステップ３４では、接眼レンズを光学観察機器の鏡筒から取り外してよい。ステップ３６では、専用リングマウントを鏡筒に装着してよい。ステップ３８では、接眼レンズを鏡筒ハウジングに再装着する。ステップ４０では、鏡筒マウントが接眼レンズ上を摺動し、ステップ４２では、鏡筒マウントがリングマウントに係合する。いくつかの実施形態では、クランプ機構を締め付けることによって鏡筒マウントを固定して、鏡筒と共に鏡筒マウントを固定してよい。ステップ４４では、画像取込デバイスホルダを鏡筒マウントに接続してよい。ステップ４６では、スマートフォン等の画像取込デバイスをホルダに装着してよい。その後、操作者の要求に応じて、写真及び映像を取り込んで送信できる。
【００２１】
本出願で示されている方法３２は一連の連続するステップとして説明できるが、これらのステップはいずれの特定の順序に限定されない。例えば画像取込デバイスを、各ホルダ４６を鏡筒マウント４４に接続する前に各ホルダに装着してよい。更に、上述した本発明の様々な例示的実施形態は単なる例として提示されたものであり、限定として提示されたものではないことを理解されたい。従って本発明の広さ及び範囲は、上述の例示的実施形態のいずれによっても制限されないものとし、以下の請求項及びその均等物によってのみ定義されるものとする。
【図１Ａ】
2016521869.tif 000003
【図１Ｂ】
2016521869.tif 000004
【図１Ｃ】
2016521869.tif 000005
【図２】
2016521869.tif 000006
【手続補正書】
【提出日】平成28年2月8日(2016.2.8)
【手続補正１】
【補正対象書類名】特許請求の範囲
【補正対象項目名】全文
【補正方法】変更
【補正の内容】
【特許請求の範囲】
【請求項１】
画像取込デバイスを光学観察機器に取り付けるためのアダプタシステムであって、
前記光学観察機器は、鏡筒及び前記鏡筒に取り付けられた接眼レンズを有し、
前記アダプタは：
内面に対向する外面を有する鏡筒リングマウントであって、前記鏡筒リングマウントの前記内面を前記鏡筒に係合することによって前記鏡筒に装着されるよう構成された、鏡筒リングマウント；
前記鏡筒に装着された前記光学観察機器の前記接眼レンズ上を摺動して、装着された前記鏡筒リングマウントの前記外面と係合するよう構成された、前記鏡筒リングマウントとは別個の鏡筒マウント；及び
前記鏡筒マウントと連結して前記画像取込デバイスを受承するよう構成された画像取込デバイスホルダ
を備える、システム。
【請求項２】
前記鏡筒リングマウントは、前記鏡筒に、前記接眼レンズから遠位において装着されるよう構成される、請求項１に記載のシステム。
【請求項３】
前記鏡筒リングマウントは、装着前に前記光学観察機器の前記接眼レンズを前記鏡筒から取り外し、装着後に前記光学観察機器の前記接眼レンズを前記鏡筒に再装着することによって装着されるよう構成される、請求項２に記載のシステム。
【請求項４】
前記鏡筒マウントは、前記接眼レンズの表示を見やすくする覗き窓を含む、請求項１に記載のシステム。
【請求項５】
前記鏡筒マウントは、前記鏡筒マウントを前記接眼レンズ上で摺動させて、装着された前記鏡筒リングマウントの前記外面と係合させ、前記光学観察機器に装着した後で、前記接眼レンズの倍率の調整を可能とする、請求項１に記載のシステム。
【請求項６】
前記アダプタはレンズを含まない、請求項１に記載のシステム。
【請求項７】
前記光学観察機器は顕微鏡を備える、請求項１に記載のシステム。
【請求項８】
前記画像取込デバイスホルダは、スマートフォンを受承するよう構成されたスマートフォンホルダを備え、
前記スマートフォンホルダは更に、受承されている前記スマートフォンのカメラを前記光学観察機器の光軸と位置合わせするよう構成される、請求項１に記載のシステム。
【請求項９】
前記鏡筒マウントは、円周クランプを使用して前記リングマウントの前記外面と連結する、請求項１に記載のシステム。
【請求項１０】
請求項１に記載のアダプタシステムを用いて、画像取込デバイスを光学観察機器に取り付けることができるように、前記光学観察機器を改造する方法であって、
前記光学観察機器は、鏡筒及び前記鏡筒に取り付けられた接眼レンズを有する、方法において、
上記方法は：
内面に対向する外面を有する鏡筒リングマウントを、前記鏡筒リングマウントの前記内面を前記鏡筒に係合することによって前記鏡筒の前記内面に装着するステップ；
前記鏡筒に装着された前記光学観察機器の前記接眼レンズ上で前記リングマウントを摺動させて、装着された前記鏡筒リングマウントの前記外面と係合させることによって、鏡筒マウントを前記リングマウント上で固定するステップ；及び
画像取込デバイスホルダを前記鏡筒マウントと連結するステップ
を含む、方法。
【請求項１１】
前記鏡筒リングマウントを前記鏡筒に装着する前に、前記光学観察機器の前記接眼レンズを取り外すステップ；及び
前記鏡筒リングマウントを前記鏡筒に装着した後、かつ前記鏡筒マウントを前記リングマウントに固定する前に、前記光学観察機器の前記接眼レンズを再装着するステップ
を更に含む、請求項１０に記載の方法。
【国際調査報告】
2016521869.tif 000007